(57)【要約】【課題】収容した物品に伝わる衝撃を弱めることができ、物品の変形や損壊を防ぐことができる物品収容容器を提供する。【解決手段】物品収容容器１０Ａは、互いに対向して上下方向へ延びる第１および第２側壁と、互いに対向して上下方向へ延びる第３および第４側壁と、頂部開口を開閉可能な頂壁と、前記頂壁に対向する底壁と、それら壁に囲繞された物品収容空間とを備え、第１〜第４底上げ部によって底上げされた第１〜第４水平部が上げ底を形成し、物品支持壁の第１〜第３自由部と固着部とが前記物品収容空間に収容された物品を配置する四角形の物品支持空間を画成している。【選択図】図８
2015101355.tif 000002
【特許請求の範囲】
【請求項１】
互いに対向して上下方向へ延びる第１および第２側壁と、互いに対向して上下方向へ延びる第３および第４側壁と、頂部開口を開閉可能な頂壁と、前記頂壁に対向する底壁と、それら壁に囲繞された物品収容空間とを備え、それら六つの壁が実質的に直交する六面体であり、前記底壁が、前記第１側壁に繋がる第１底壁と、前記第２側壁に繋がる第２底壁と、前記第３側壁に繋がる第３底壁と、前記第４側壁に繋がる第４底壁とから形成された物品収容容器において、
前記第１底壁が、前記第１側壁の下端縁に連接されて前記物品収容空間に起立した状態で該第１側壁の内面に並行する第１底上げ部と、前記第１底上げ部の先端縁に連接されて底部開口を塞ぐ第１水平部とを有し、前記第２底壁が、前記第２側壁の下端縁に連接されて前記物品収容空間に起立した状態で該第２側壁の内面に並行する第２底上げ部と、前記第２底上げ部の先端縁に連接されて前記底部開口を塞ぐ第２水平部とを有し、前記第３底壁が、前記第３側壁の下端縁に連接されて前記物品収容空間に起立した状態で該第３側壁の内面に並行する第３底上げ部と、前記第３底上げ部の先端縁に連接されて前記底部開口を塞ぐ第３水平部とを有し、前記第４底壁が、前記第４側壁の下端縁に連接されて前記物品収容空間に起立した状態で該第４側壁の内面に並行する第４底上げ部と、前記第４底上げ部の先端縁に連接されて前記底部開口を塞ぐ第４水平部とを有することを特徴とする物品収容容器。
【請求項２】
前記物品収容容器が、前記第１側壁に繋がって前記物品収容空間に収容された物品を支持する物品支持壁を含み、前記物品支持壁が、前記第１側壁の側縁に連接されて前記第４側壁の内面に並行する第１自由部と、前記第１自由部の側縁に連接されて前記第２側壁の内面に並行する第２自由部と、前記第２自由部の側縁に連接されて前記第３側壁の内面に並行する第３自由部と、前記第３自由部の側縁に連接されて前記第１側壁の内面に固着された固着部とを有する請求項１に記載の物品収容容器。
【請求項３】
前記物品収容容器では、前記第１底上げ部が前記第１側壁の下端縁において前記物品収容空間に向かって折曲されて該第１側壁の内面に並行して上下方向へ延びることで、前記第１水平部が前記第１側壁の下端縁から上方へ底上げされ、前記第２底上げ部が前記第２側壁の下端縁において前記物品収容空間に向かって折曲されて該第２側壁の内面に並行して上下方向へ延びることで、前記第２水平部が前記第２側壁の下端縁から上方へ底上げされ、前記第３底上げ部が前記第３側壁の下端縁において前記物品収容空間に向かって折曲されて該第３側壁の内面に並行して上下方向へ延びることで、前記第３水平部が前記第３側壁の下端縁から上方へ底上げされ、前記第４底上げ部が前記第４側壁の下端縁において前記物品収容空間に向かって折曲されて該第４側壁の内面に並行して上下方向へ延びることで、前記第４水平部が前記第４側壁の下端縁から上方へ底上げされている請求項１または請求項２に記載の物品収容容器。
【請求項４】
前記物品収容容器では、前記物品支持壁の第１自由部が前記第４側壁の内面に並行するように前記第１側壁の側縁において折曲され、前記物品支持壁の第２自由部が前記第２側壁の内面に並行するように前記第１自由部の側縁において折曲され、前記物品支持壁の第３自由部が前記第３側壁の内面に並行するように前記第２自由部の側縁において折曲され、前記物品支持壁の固着部が前記第１側壁の内面に並行するように前記第３自由部の側縁において折曲され、前記物品支持壁の第１〜第３自由部と固着部とが前記物品収容空間に収容された物品を配置する四角形の物品支持空間を画成している請求項２または請求項３に記載の物品収容容器。
【請求項５】
前記物品収容容器では、前記第１〜第４底上げ部の上下寸法が同一であり、前記第１〜第４底上げ部の上下寸法を変更することで、前記第１〜第４側壁の下端縁からの前記第１〜第４水平部の底上げ寸法を調節可能である請求項３または請求項４に記載の物品収容容器。
【請求項６】
前記物品収容容器では、前記物品支持壁の第１自由部の幅寸法が前記第４側壁の幅寸法よりも小さく、前記第１自由部が前記第４側壁から前記物品収容空間の径方向内方へ離間し、前記物品支持壁の第２自由部の幅寸法が前記第２側壁の幅出寸法よりも小さく、前記第２自由部が前記第２側壁から前記物品収容空間の径方向内方へ離間し、前記物品支持壁の第３自由部の幅寸法が前記第３側壁の幅寸法よりも小さく、前記第３自由部が前記第３側壁から前記物品収容空間の径方向内方へ離間している請求項２ないし請求項５いずれかに記載の物品収容容器。
【請求項７】
前記物品収容容器では、前記物品支持壁の固着部の幅寸法が前記第１側壁の幅寸法よりも小さく、前記固着部の自由側縁を前記物品支持壁の前記第１自由部に近接または当接させた状態で該固着部が前記第１側壁の内面に固着されている請求項２ないし請求項６いずれかに記載の物品収容容器。
【請求項８】
前記物品支持壁の第１自由部には、前記第４側壁に当接して該第４側壁からの前記第１自由部の離間状態を維持する当接部が形成されている請求項２ないし請求項７いずれかに記載の物品収容容器。
【請求項９】
前記物品収容容器が、前記第１側壁に繋がって前記物品収容空間に収容された物品を支持する物品支持壁を含み、前記物品支持壁が、前記第２〜第４側壁から離間して前記物品収容空間に環状に延びる自由部と、前記自由部に連接されて前記第１側壁の内面に固着された固着部とを有する請求項１または請求項２に記載の物品収容容器。
【請求項１０】
前記物品収容容器では、前記物品支持壁の自由部の幅寸法が前記第１〜第４側壁の幅寸法の合計よりも小さく、前記物品支持壁の固着部の幅寸法が前記第１側壁の幅寸法よりも小さい請求項９に記載の物品収容容器。
【請求項１１】
前記物品収容容器では、前記物品支持壁の自由部が前記物品収容空間に収容された物品を配置する円形の物品支持空間を画成している請求項９または請求項１０に記載の物品収容容器。
【発明の詳細な説明】
【技術分野】
【０００１】
本発明は、頂底壁と各側壁とが実質的に直交する六面体であり、それら壁に囲繞された物品収容空間に所定の物品を収容する物品収容容器に関する。
【背景技術】
【０００２】
プラスチックシートを折曲して立体形とする容器の外周面を平坦シート面で形成し、内側の折返し面に収納物品を支持する凹凸部を形成した物品収容容器が開示されている（特許文献１参照）。この物品収容容器は、その外周面となる前壁や後壁、左右側壁を平坦面で形成してそれら壁に所定の表示を印刷し、前壁の上方に内側に折返し可能な内折れ面と底壁に平行状態で折曲可能な内底壁とを設けるとともに、側面から上方に折込み可能な内蓋壁を設け、内底壁に物品の底部を支持可能な凸部を形成し、内蓋壁に物品の上部を支持する凹凸部を形成している。底壁と内底壁との間には、緩衝材が配置されている。物品収容容器は、外周面が平坦面で形成されているから、所望の表示を綺麗に印刷することができ、折返し面に形成した凹凸部によって容器内に収納した物品を安定して支持することができる。
【先行技術文献】
【特許文献】
【０００３】
【特許文献１】特開２００４−１０１４７号公報
【発明の概要】
【発明が解決しようとする課題】
【０００４】
前記特許文献１に開示の物品収容容器は、底壁と内底壁との間に緩衝材が配置され、容器の内部に収容した物品に伝わる衝撃が緩衝材によって弱められるから、容器に衝撃が加えられたとしても、物品が変形したり、壊れたりすることはない。しかし、この物品収容容器は、底壁と内底壁との間に緩衝材を設置する手間を要するとともに、容器の他に緩衝材のコストが必要となる。
【０００５】
なお、緩衝材を配置せずに底壁の上に直接物品を載置する容器では、それに物品を収容した後、容器を陳列棚やレジ棚等の載置箇所に置くときに、容器の底壁が載置箇所の表面に直に当たるから、容器をそれら棚に置いたときの衝撃が底壁を介して物品に直接伝わり、衝撃に弱い物品を収容した場合、底壁から物品に伝わる衝撃の度合いによっては容器の内部において物品が変形したり、物品が壊れる場合がある。
【０００６】
本発明の課題は、緩衝材を必要とせず、収容した物品に伝わる衝撃を弱めることができ、物品の変形や損壊を防ぐことができる物品収容容器を提供することにある。
【課題を解決するための手段】
【０００７】
前記課題を解決するための本発明の前提は、互いに対向して上下方向へ延びる第１および第２側壁と、互いに対向して上下方向へ延びる第３および第４側壁と、頂部開口を開閉可能な頂壁と、頂壁に対向する底壁と、それら壁に囲繞された物品収容空間とを備え、それら六つの壁が実質的に直交する六面体であり、底壁が、第１側壁に繋がる第１底壁と、第２側壁に繋がる第２底壁と、第３側壁に繋がる第３底壁と、第４側壁に繋がる第４底壁とから形成された物品収容容器である。
【０００８】
前記前提における本発明の特徴としては、第１底壁が、第１側壁の下端縁に連接されて物品収容空間に起立した状態で第１側壁の内面に並行する第１底上げ部と、第１底上げ部の先端縁に連接されて底部開口を塞ぐ第１水平部とを有し、第２底壁が、第２側壁の下端縁に連接されて物品収容空間に起立した状態で第２側壁の内面に並行する第２底上げ部と、第２底上げ部の先端縁に連接されて底部開口を塞ぐ第２水平部とを有し、第３底壁が、第３側壁の下端縁に連接されて物品収容空間に起立した状態で第３側壁の内面に並行する第３底上げ部と、第３底上げ部の先端縁に連接されて底部開口を塞ぐ第３水平部とを有し、第４底壁が、第４側壁の下端縁に連接されて物品収容空間に起立した状態で第４側壁の内面に並行する第４底上げ部と、第４底上げ部の先端縁に連接されて底部開口を塞ぐ第４水平部とを有することにある。
【０００９】
本発明の一例としては、物品収容容器が、第１側壁に繋がって物品収容空間に収容された物品を支持する物品支持壁を含み、物品支持壁が、第１側壁の側縁に連接されて第４側壁の内面に並行する第１自由部と、第１自由部の側縁に連接されて第２側壁の内面に並行する第２自由部と、第２自由部の側縁に連接されて第３側壁の内面に並行する第３自由部と、第３自由部の側縁に連接されて第１側壁の内面に固着された固着部とを有する。
【００１０】
本発明の他の一例として、物品収容容器では、第１底上げ部が第１側壁の下端縁において物品収容空間に向かって折曲されて第１側壁の内面に並行して上下方向へ延びることで、第１水平部が第１側壁の下端縁から上方へ底上げされ、第２底上げ部が第２側壁の下端縁において物品収容空間に向かって折曲されて第２側壁の内面に並行して上下方向へ延びることで、第２水平部が第２側壁の下端縁から上方へ底上げされ、第３底上げ部が第３側壁の下端縁において物品収容空間に向かって折曲されて第３側壁の内面に並行して上下方向へ延びることで、第３水平部が第３側壁の下端縁から上方へ底上げされ、第４底上げ部が第４側壁の下端縁において物品収容空間に向かって折曲されて第４側壁の内面に並行して上下方向へ延びることで、第４水平部が第４側壁の下端縁から上方へ底上げされている。
【００１１】
本発明の他の一例として、物品収容容器では、物品支持壁の第１自由部が第４側壁の内面に並行するように第１側壁の側縁において折曲され、物品支持壁の第２自由部が第２側壁の内面に並行するように第１自由部の側縁において折曲され、物品支持壁の第３自由部が第３側壁の内面に並行するように第２自由部の側縁において折曲され、物品支持壁の固着部が第１側壁の内面に並行するように第３自由部の側縁において折曲され、物品支持壁の第１〜第３自由部と固着部とが物品収容空間に収容された物品を配置する四角形の物品支持空間を画成している。
【００１２】
本発明の他の一例として、物品収容容器では、第１〜第４底上げ部の上下寸法が同一であり、第１〜第４底上げ部の上下寸法を変更することで、第１〜第４側壁の下端縁からの第１〜第４水平部の底上げ寸法を調節可能である。
【００１３】
本発明の他の一例として、物品収容容器では、物品支持壁の第１自由部の幅寸法が第４側壁の幅寸法よりも小さく、第１自由部が第４側壁から物品収容空間の径方向内方へ離間し、物品支持壁の第２自由部の幅寸法が第２側壁の幅出寸法よりも小さく、第２自由部が第２側壁から物品収容空間の径方向内方へ離間し、物品支持壁の第３自由部の幅寸法が第３側壁の幅寸法よりも小さく、第３自由部が第３側壁から物品収容空間の径方向内方へ離間している。
【００１４】
本発明の他の一例として、物品収容容器では、物品支持壁の固着部の幅寸法が第１側壁の幅寸法よりも小さく、固着部の自由側縁を物品支持壁の第１自由部に近接または当接させた状態で固着部が第１側壁の内面に固着されている。
【００１５】
本発明の他の一例として、物品支持壁の第１自由部には、第４側壁に当接して第４側壁からの第１自由部の離間状態を維持する当接部が形成されている。
【００１６】
本発明の他の一例としては、物品収容容器が第１側壁に繋がって物品収容空間に収容された物品を支持する物品支持壁を含み、物品支持壁が、第２〜第４側壁から離間して物品収容空間に環状に延びる自由部と、自由部に連接されて第１側壁の内面に固着された固着部とを有する。
【００１７】
本発明の他の一例として、物品収容容器では、物品支持壁の自由部の幅寸法が第１〜第４側壁の幅寸法の合計よりも小さく、物品支持壁の固着部の幅寸法が第１側壁の幅寸法よりも小さい。
【００１８】
本発明の他の一例として、物品収容容器では、物品支持壁の自由部が物品収容空間に収容された物品を配置する円形の物品支持空間を画成している。
【発明の効果】
【００１９】
本発明に係る物品収容容器は、第１底壁の第１底上げ部によって第１水平部が第１側壁の下端縁から上方へ底上げされ、第２底壁の第２底上げ部によって第２水平部が第２側壁の下端縁から上方へ底上げされ、第３底壁の第３底上げ部によって第３水平部が第３側壁の下端縁から上方へ底上げされるとともに、第４底壁の第４底上げ部によって第４水平部が第４側壁の下端縁から上方へ底上げされることで、第１〜第４水平部によって上げ底が形成され、第１〜第４水平部が陳列棚やレジ棚等の載置箇所の表面に直に当たることはなく、上げ底を形成する第１〜第４水平部が物品の質量によって下方へ弾性変形可能であるから、第１〜第４底上げ部や第１〜第４水平部が容器に加えられた衝撃を弱める緩衝材として機能する。物品収容容器は、それに加えられた衝撃が物品に直接伝わることはなく、容器に強い衝撃が加えられたとしても、第１〜第４底上げ部や第１〜第４水平部によってその衝撃が弱められるから、容器の内部における物品の変形や損壊を防ぐことができる。
【００２０】
第１側壁に繋がって物品収容空間に収容された物品を支持する物品支持壁を含み、物品支持壁が第４側壁の内面に並行する第１自由部と第２側壁の内面に並行する第２自由部と第３側壁の内面に並行する第３自由部と第１側壁の内面に固着された固着部とを有する物品収容容器は、物品収容空間に収容された物品の外周面が物品支持壁のそれら自由部に支持されるから、物品支持壁によって物品が物品収容空間の所定の位置に据え付けられ、物品の物品収容空間における不用意な遊動を防ぐことができ、物品が物品収容空間において遊動することによる物品の各側壁への衝突を防ぐことができる。物品収容容器は、それに強い衝撃が加えられたとしても、物品支持壁のそれら自由部によって支持された物品の各側壁への衝突が防止されるから、物品が各側壁へ衝突することによる物品の変形や損壊を防ぐことができる。
【００２１】
第１底上げ部が第１側壁の下端縁において物品収容空間に向かって折曲されて第１側壁の内面に並行して上下方向へ延びることで、第１水平部が第１側壁の下端縁から上方へ底上げされ、第２底上げ部が第２側壁の下端縁において物品収容空間に向かって折曲されて第２側壁の内面に並行して上下方向へ延びることで、第２水平部が第２側壁の下端縁から上方へ底上げされ、第３底上げ部が第３側壁の下端縁において物品収容空間に向かって折曲されて第３側壁の内面に並行して上下方向へ延びることで、第３水平部が第３側壁の下端縁から上方へ底上げされるとともに、第４底上げ部が第４側壁の下端縁において物品収容空間に向かって折曲されて第４側壁の内面に並行して上下方向へ延びることで、第４水平部が第４側壁の下端縁から上方へ底上げされる物品収容容器は、第１〜第４側壁に並行する第１〜第４底上げ部が第１〜第４水平部を上方へ持ち上げるから、第１〜第４底上げ部によって第１〜第４水平部を確実に上げ底にすることができる。物品収容容器は、第１〜第４水平部が陳列棚やレジ棚等の載置箇所の表面に直に当たることはなく、上げ底を形成する第１〜第４水平部が物品の質量によって下方へ弾性変形可能であり、第１〜第４底上げ部や第１〜第４水平部が衝撃を弱める緩衝材として機能するから、容器に強い衝撃が加えられたとしても、容器の内部における物品の変形や損壊を防ぐことができる。
【００２２】
物品支持壁の第１自由部が第４側壁の内面に並行するように第１側壁の側縁において折曲され、物品支持壁の第２自由部が第２側壁の内面に並行するように前記第１自由部の側縁において折曲され、物品支持壁の第３自由部が第３側壁の内面に並行するように第２自由部の側縁において折曲されているとともに、物品支持壁の固着部が第１側壁の内面に並行するように第３自由部の側縁において折曲され、物品支持壁の第１〜第３自由部と固着部とが物品収容空間に収容された物品を配置する四角形の物品支持空間を画成している物品収容容器は、物品収容空間に収容された物品の外観形状が四角柱の場合、その物品を四角形の物品支持空間に配置することで、その物品の外周面を物品支持壁の第１〜第３自由部に確実に支持させることができ、物品支持壁によって物品を物品収容空間の所定の位置に据え付けることができる。物品収容容器は、物品支持壁の第１〜第３自由部によって物品の物品収容空間における不用意な遊動を防ぐことができるから、容器に強い衝撃が加えられたとしても、物品が物品収容空間において遊動することによる物品の各側壁への衝突を防ぐことができ、物品が各側壁へ衝突することによる物品の変形や損壊を防ぐことができる。
【００２３】
第１〜第４底上げ部の上下寸法が同一であり、第１〜第４底上げ部の上下寸法を変更することで、第１〜第４側壁の下端縁からの第１〜第４水平部の底上げ寸法を調節可能な物品収容容器は、第１〜第４底上げ部の上下寸法が同一であるから、第１〜第４水平部によって形成される上げ底が各側壁に対して直交し、平坦な上げ底を作ることができる。物品収容容器は、第１〜第４底上げ部の上下寸法を変更することで、第１〜第４水平部の底上げ寸法を調節可能であるから、物品収容空間に収容する物品の上下寸法にあわせて第１〜第４水平部の底上げ寸法を自由に変更することができる。
【００２４】
物品支持壁の第１自由部の幅寸法が第４側壁の幅寸法よりも小さく、第１自由部が第４側壁から物品収容空間の径方向内方へ離間し、物品支持壁の第２自由部の幅寸法が第２側壁の幅出寸法よりも小さく、第２自由部が第２側壁から物品収容空間の径方向内方へ離間しているとともに、物品支持壁の第３自由部の幅寸法が第３側壁の幅寸法よりも小さく、第３自由部が第３側壁から物品収容空間の径方向内方へ離間している物品収容容器は、物品支持壁の第１〜第３自由部によって物品の物品収容空間における不用意な遊動を防ぐことができるとともに、第１〜第３自由部が第１〜第３側壁から径方向内方へ離間しているから、容器に衝撃が加えられたとしても、第１〜第３自由部に支持された物品の各側壁への衝突を確実に防ぐことができ、物品が各側壁へ衝突することによる物品の変形や損壊を防ぐことができる。
【００２５】
物品支持壁の固着部の幅寸法が第１側壁の幅寸法よりも小さく、固着部の自由側縁を物品支持壁の第１自由部に近接または当接させた状態で固着部が第１側壁の内面に固着されている物品収容容器は、幅寸法が第１側壁のそれよりも小さい固着部の自由側縁を第１自由部に近接または当接させた状態で固着部を第１側壁の内面に固着することで、物品支持壁の第１〜第３自由部を第１〜第３側壁から径方向内方へ確実に離間させることができる。物品収容容器は、第１〜第３自由部が第１〜第３側壁から径方向内方へ離間するから、容器に衝撃が加えられたとしても、第１〜第３自由部に支持された物品の各側壁への衝突を確実に防ぐことができ、物品が各側壁へ衝突することによる物品の変形や損壊を防ぐことができる。
【００２６】
第４側壁に当接してその第４側壁からの第１自由部の離間状態を維持する当接部が第１自由部に形成されている物品収容容器は、当接部が第４側壁に当接することで、物品支持壁の第１自由部を第４側壁から径方向内方へ確実に離間させることができ、容器に衝撃が加えられたとしても、第１〜第３自由部に支持された物品の第４側壁への衝突を確実に防ぐことができるとともに、物品が第４側壁へ衝突することによる物品の変形や損壊を防ぐことができる。
【００２７】
第１側壁に繋がって物品収容空間に収容された物品を支持する物品支持壁を含み、物品支持壁第２〜第４側壁から離間して前記物品収容空間に環状に延びる自由部と第１側壁の内面に固着された固着部とを有する物品収容容器は、物品収容空間に収容された物品の外周面が物品支持壁の自由部に支持されるから、物品支持壁によって物品が物品収容空間の所定の位置に据え付けられ、物品の物品収容空間における不用意な遊動を防ぐことができ、物品が物品収容空間において遊動することによる物品の各側壁への衝突を防ぐことができる。物品収容容器は、それに強い衝撃が加えられたとしても、物品支持壁の自由部によって支持された物品の各側壁への衝突が防止されるから、物品が各側壁へ衝突することによる物品の変形や損壊を防ぐことができる。物品収容容器は、物品支持壁の自由部を折り曲げることで、自由部に囲繞された四角形や三角形等の任意の形状の物品支持空間を作ることができ、物品の外観形状にあわせた物品支持空間を作ることができる。
【００２８】
物品支持壁の自由部の幅寸法が第１〜第４側壁の幅寸法の合計よりも小さく、物品支持壁の固着部の幅寸法が第１側壁の幅寸法よりも小さい物品収容容器は、物品支持壁の自由部によって物品の物品収容空間における不用意な遊動を防ぐことができるとともに、自由部が第１〜第３側壁から径方向内方へ離間するから、容器に衝撃が加えられたとしても、自由部に支持された物品の各側壁への衝突を確実に防ぐことができ、物品が各側壁へ衝突することによる物品の変形や損壊を防ぐことができる。
【００２９】
物品支持壁の自由部が物品収容空間に収容された物品を配置する円形の物品支持空間を画成している物品収容容器は、物品収容空間に収容された物品の外観形状が円筒状の場合、その物品を円形の物品支持空間に配置することで、その物品の外周面を物品支持壁の自由部に確実に支持させることができ、物品支持壁によって物品を物品収容空間の所定の位置に据え付けることができる。物品収容容器は、物品支持壁の３自由部によって物品の物品収容空間における不用意な遊動を防ぐことができるから、容器に強い衝撃が加えられたとしても、物品が物品収容空間において遊動することによる物品の各側壁への衝突を防ぐことができ、物品が各側壁へ衝突することによる物品の変形や損壊を防ぐことができる。
【図面の簡単な説明】
【００３０】
【図１】一例として示す物品収容容器の展開平面図。
【図２】物品収容容器の斜視図。
【図３】物品収容容器の上面図。
【図４】物品収容容器の底面図。
【図５】組み立て途中の物品収容容器の斜視図。
【図６】図５から続く組み立て途中の物品収容容器の斜視図。
【図７】物品を収容した状態で示す物品収容容器の上面図。
【図８】物品を収容した状態で示す物品収容容器の部分破断斜視図。
【図９】他の一例として示す物品収容容器の展開平面図。
【図１０】物品収容容器の上面図。
【図１１】組み立て途中の物品収容容器の斜視図。
【図１２】図１１から続く組み立て途中の物品収容容器の斜視図。
【図１３】物品を収容した状態で示す物品収容容器の上面図。
【図１４】物品を収容した状態で示す物品収容容器の部分破断斜視図。
【発明を実施するための形態】
【００３１】
一例として示す物品収容容器１０Ａの展開平面図である図１等の添付の図面を参照し、本発明にかかる物品収容容器の詳細を説明すると、以下のとおりである。なお、図２は、物品収容容器１０Ａの斜視図であり、図３は、物品収容容器１０Ａの上面図である。図４は、物品収容容器１０Ａの底面図である。図１，２では、上下方向を矢印Ａ、横方向を矢印Ｂで示し、前後方向を矢印Ｃ（図１を除く）で示す。図３では、径方向内方を矢印Ｂ１，Ｃ１で示す。
【００３２】
物品収容容器１０Ａは、図２に示すように、後記する可撓性の６つの壁１１〜１４，１６，１８が実質的に直交する六面体であり、その外観形状が上下方向へ長い略直方体に成形されている。それら壁１１〜１４，１６，１８は、紙シートまたはプラスチックシートから作られている。容器１０Ａは、互いに対向かつ並行して上下方向へ延びる第１および第２側壁１１，１２と、第１および第２側壁１１，１２の間に位置し、互いに対向かつ並行して上下方向へ延びる第３および第４側壁１３，１４と、頂部開口１５を開閉可能な頂壁１６と、底部開口１７を閉鎖する底壁１８と、物品支持壁１９および吊り下げ壁２０とを有する。容器１０Ａでは、第１〜第４側壁１１〜１４と頂底壁１６，１８とのうちの隣接する壁１１〜１４，１６，１８どうしが互いに直交するように折曲されている。
【００３３】
物品収容容器１０Ａには、図３に示すように、第１〜第４側壁１１〜１４および頂底壁１６，１８に囲繞された所定容積の物品収容空間２１が画成されているとともに、物品支持壁１９に囲繞された物品支持空間２２が画成されている。容器１０Ａは、頂部開口１５から物品収容空間２１（物品支持空間２２）に物品２３（商品）（図７，８参照）を収納した後、頂壁１６によって頂部開口１５を閉じ、それを陳列棚に並べたり、フックに吊下げて陳列する。なお、容器１０Ａの外観形状を上下方向へ長い直方体に限定するものではなく、その外観形状が前後方向へ長い直方体または横方向へ長い直方体あるいは立方体であってもよい。また、容器１０Ａの大きさに特に限定はなく、収納する物品２３に合わせてその大きさを適宜決定することができる。
【００３４】
図１の展開平面図では、図１の右方から左方へ向かって、第１側壁１１→第３側壁１３→第２側壁１２→第４側壁１４の順で並んでいる。第１〜第４側壁１１〜１４は、上下方向へ長い矩形に作られている。頂壁１５は、第１側壁１１に繋がる略矩形の第１頂壁１６Ａと、第３側壁１３に繋がる略矩形の第２頂壁１６Ｂと、第４側壁１４に繋がる略矩形の第３頂壁１６Ｃとから形成されている。図１の展開平面図では、図１の右方から左方へ向かって、第１頂壁１６Ａ→第２頂壁１６Ｂ→吊り下げ壁２０→第３頂壁１６Ｃの順で並んでいる。底壁１８は、第１側壁１１に繋がる略矩形の第１底壁１８Ａと、第３側壁１３に繋がる略三角形の第２底壁１８Ｂと、第２側壁１２に繋がる略矩形の第３底壁１８Ｃと、第４側壁１４に繋がる略三角形の第４底壁１８Ｄとから形成されている。図１の展開平面図では、図１の右方から左方へ向かって、第１底壁１８Ａ→第２底壁１８Ｂ→第３底壁１８Ｃ→第４底壁１８Ｄの順で並んでいる。
【００３５】
第１側壁１１と第３側壁１３とは、上下方向へ延びる側縁２４を介して連接され、それら側壁１１，１３が互いに直交するように側縁２４においてそれら側壁１１，１３が折曲される。第１側壁１１には、糊代部分２５が形成されている。糊代部分２５は、第１側壁１１に対して直交するように上下方向へ延びる折曲縁２６によって折曲される。第３側壁１３と第２側壁１２とは、上下方向へ延びる側縁２７を介して連接され、それら側壁１２，１３が互いに直交するように側縁２７においてそれら側壁１２，１３が折曲される。第２側壁１２と第４側壁１４とは、上下方向へ延びる側縁２８を介して連接され、それら側壁１２，１４が互いに直交するように側縁２８においてそれら側壁１２，１４が折曲される。第１〜第４側壁１１〜１４は、略同形同大に作られている。
【００３６】
第１側壁１１と第１頂壁１６Ａとは、横方向へ延びる上端縁２９を介して連接され、第１側壁１１と第１頂壁１６Ａとが互いに直交するように上端縁２９においてそれら壁１１，１６Ａが折曲される。第１頂壁１６Ａの横方向へ延びる先端縁３０には、フラップ３１が連接されている。第１頂壁１６Ａとフラップ３１とは、それらが互いに直交するように先端縁３０において折曲される。第１頂壁１６Ａの上下方向へ延びる一方の側縁３２には、横方向へ凹む切り欠き部３３が作られている。第３側壁１３と第２頂壁１６Ｂとは、横方向（図２では前後方向）へ延びる上端縁３４を介して連接され、第３側壁１３と第２頂壁１６Ｂとが互いに直交するように上端縁３４においてそれら壁１３，１６Ｂが折曲される。上端縁３４の横方向中央には、第２頂壁を部分的にくり抜いた挿入部３５が作られている。挿入部３５には、第３頂壁１６Ｃに作られた後記する係合部４４が挿脱可能に挿入される。
【００３７】
第２側壁１２と吊り下げ壁２０とは、横方向へ延びる上端縁３６を介して連接されている。吊り下げ壁２０は、上下方向へ長い矩形に作られ、その上下方向中央において横方向へ延びる折曲縁３７を介して二つ折りに折曲される。なお、吊り下げ壁２０は、容器１０Ａをフックに吊り下げるときに利用される。吊り下げ壁２０の横方向へ延びる先端縁３８には、フラップ３９が連接されている。吊り下げ壁２０とフラップ３９とは、それらが互いに直交するように先端縁３８において折曲される。
【００３８】
第４側壁１４と第３頂壁１６Ｃとは、横方向（図２では前後方向）へ延びる上端縁４０を介して連接され、第４側壁１４と第３頂壁１６Ｃとが互いに直交するように上端縁４０においてそれら壁１４，１６Ｃが折曲される。第３頂壁１６Ｃには、その先端縁４１から一方の側縁４２に向かって弧を画く切り取り線４３が作られている。第３頂壁１６Ｃの先端縁４１の横方向中央には、上方へ突出する係合部４４が作られている。第３頂壁１６Ｃでは、切り取り線４３に囲まれた部分４５（切り取り部分４５）と部分４５を除く残余部分４６とをその切り取り線４３によって切り離すことができる。
【００３９】
物品収容容器１０Ａでは、吊り下げ壁２０が折曲縁３７において折曲され、フラップ３９が上端縁３８から物品収容空間２１に進入して第２側壁１２の内面に当接し、フラップ３１が先端縁３０において折曲され、第１頂壁１６Ａが上端縁２９において折曲され、フラップ３１が上端縁２９から物品収容空間２１に進入してフラップ３９の内面に当接し、第１頂壁１６Ａが頂部開口１５を塞いでいる。さらに、第２頂壁１６Ｂが上端縁３４において折曲されて第１頂壁１６Ａの上面に重なり、第３頂壁１６Ｃが上端縁４０において折曲されて第２頂壁１６Ｂの上面に重なり、第２および第３頂壁１６Ｂ，１６Ｃが頂部開口１５を塞いでいる。第３頂壁１６Ｃに作られた係合部４４は、上端縁３４に作られた挿入部３５に挿入され、挿入部３５に係合している。係合部４４が挿入部３５に係合することで、第１〜第３頂壁１６Ａ〜１６Ｃによる頂部開口１５の閉塞状態が維持されている。
【００４０】
第１側壁１１と第１底壁１８Ａとは、横方向へ延びる下端縁４７を介して連接され、第１側壁１１と第１底壁１８Ａとが当接するように下端縁４７においてそれら壁１１，１８Ａが折曲される。なお、下端縁４７には、第１側壁１１に対して第１底壁１８Ａを容易に折り曲げることができるように、横方向へ断続的に延びる切り込み線が形成されている。第１底壁１８Ａは、第１側壁１１に繋がる第１底上げ部４８と、第１底上げ部４８の先端縁４９に連接された第１水平部５０とを有する。第１底上げ部４８と第１水平部５０とは、それら部４８，５０が互いに直交するように先端縁４９において折曲される。第１底上げ部４８の先端縁４９には、第１底上げ部４８に対して第１水平部５０を容易に折り曲げることができるように、横方向へ断続的に延びる切り込み線が形成されている。
【００４１】
下端縁４７において折曲された第１底上げ部４８は、物品収容空間２１に起立した状態で下端縁４７から頂部開口１５に向かって上下方向へ延びているとともに、第１側壁１１の内面に当接するように、第１側壁１１の内面に並行している。先端縁４９において折曲された第１水平部５０は、下端縁４７から上方に位置するとともに、物品収容空間１５において水平に延びることで、底部開口１７を塞いでいる。
【００４２】
第３側壁１３と第２底壁１８Ｂとは、横方向へ延びる下端縁５１を介して連接され、第３側壁１３と第２底壁１８Ｂとが当接するように下端縁５１においてそれら壁１３，１８Ｂが折曲される。下端縁５１には、第３側壁１３に対して第２底壁１８Ｂを容易に折り曲げることができるように、横方向へ延びる断続的に切り込み線が形成されている。第２底壁１８Ｂは、第３側壁１３に繋がる第２底上げ部５２と、第２底上げ部５２の先端縁５３に連接された第２水平部５４とを有する。第２底上げ部５２と第２水平部５４とは、それら部５２，５４が互いに直交するように先端縁５３において折曲される。第２底上げ部５２の先端縁５３には、第２底上げ部５２に対して第２水平部５４を容易に折り曲げることができるように、横方向へ延びる断続的に切り込み線が形成されている。
【００４３】
下端縁５１において折曲された第２底上げ部５２は、物品収容空間２１に起立した状態で下端縁５１から頂部開口１５に向かって上下方向へ延びているとともに、第３側壁１３の内面に当接するように、第３側壁１３の内面に並行している。先端縁５３において折曲された第２水平部５４は、下端縁５１から上方に位置するとともに、物品収容空間１５において水平に延びることで、底部開口１７を塞いでいる。
【００４４】
第２側壁１２と第３底壁１８Ｃとは、横方向へ延びる下端縁５５を介して連接され、第２側壁１２と第３底壁１８Ｃとが当接するように下端縁５５においてそれら壁１２，１８Ｃが折曲される。下端縁５５には、第２側壁１２に対して第３底壁１８Ｃを容易に折り曲げることができるように、横方向へ断続的に延びる切り込み線が形成されている。第３底壁１８Ｃは、第２側壁１２に繋がる第３底上げ部５６と、第３底上げ部５６の先端縁５７に連接された第３水平部５８とを有する。第３底上げ部５６と第３水平部５８とは、それら部５６，５８が互いに直交するように先端縁５７において折曲される。第３底上げ部５６の先端縁５７には、第３底上げ部５６に対して第３水平部５８を容易に折り曲げることができるように、横方向へ断続的に延びる切り込み線が形成されている。
【００４５】
下端縁５５において折曲された第３底上げ部５６は、物品収容空間２１に起立した状態で下端縁５５から頂部開口１５に向かって上下方向へ延びているとともに、第２側壁１２の内面に当接するように、第２側壁１２の内面に並行している。先端縁５７において折曲された第３水平部５８は、下端縁５５から上方に位置するとともに、物品収容空間２１において水平に延びることで、底部開口１７を塞いでいる。
【００４６】
第４側壁１４と第４底壁１８Ｄとは、横方向へ延びる下端縁５９を介して連接され、第４側壁１４と第４底壁１８Ｄとが当接するように下端縁５９においてそれら壁１４，１８Ｄが折曲される。下端縁５９には、第４側壁１４に対して第４底壁１８Ｄを容易に折り曲げることができるように、横方向へ断続的に延びる切り込み線が形成されている。第４底壁１８Ｄは、第４側壁１４に繋がる第４底上げ部６０と、第４底上げ部６０の先端縁６１に連接された第４水平部６２とを有する。第４底上げ部６０と第４水平部６２とは、それら部６０，６２が互いに直交するように先端縁６１において折曲される。第４底上げ部６０の先端縁６１には、第４底上げ部６０に対して第４水平部６２を容易に折り曲げることができるように、横方向へ断続的に延びる切り込み線が形成されている。
【００４７】
下端縁５９において折曲された第４底上げ部６０は、物品収容空間２１に起立した状態で下端縁５９から頂部開口１５に向かって上下方向へ延びているとともに、第４側壁１４の内面に当接するように、第４側壁１４の内面に並行している。先端縁６１において折曲された第４水平部６２は、下端縁５９から上方に位置するとともに、物品収容空間２１において水平に延びることで、底部開口１７を塞いでいる。なお、第１〜第４底上げ部４８，５２，５６，６０は、それらの上下寸法Ｍ１が同一である。
【００４８】
物品支持壁１９は、糊代部分２５を含む第１側壁１１に繋がっている。物品支持壁１９は、第１側壁１１（糊代部分２５）の上下方向へ延びる折曲縁６３に連接されて横方向へ延びる略矩形の第１自由部６４と、第１自由部６４の上下方向へ延びる折曲縁６５に連接されて横方向（図２では前後方向）へ延びる略矩形の第２自由部６６と、第２自由部６６の上下方向へ延びる折曲縁６７に連接されて横方向へ延びる略矩形の第３自由部６８と、第３自由部６８の上下方向へ延びる折曲縁６９に連接されて横方向へ延びる略矩形の固着部７０とを有する。
【００４９】
第１〜第３自由部６４，６６，６８や固着部７０は、その上下方向の寸法Ｌ１（上下寸法）が略同一である。第１〜第３自由部６４，６６，６８や固着部７０の上下方向の寸法Ｌ１は、第１〜第４側壁１１〜１４の上下方向の寸法Ｌ２（上下寸法）の略半分である。第１自由部６４は、その横方向の寸法Ｎ１（幅寸法）が第４側壁１４の横方向の寸法Ｎ８（幅寸法）よりも小さく、第２自由部６６は、その横方向の寸法Ｎ２（幅寸法）が第２側壁１２の横方向の寸法Ｎ７（幅寸法）よりも小さい。第３自由部６８は、その横方向の寸法Ｎ３（幅寸法）が第３側壁１３の横方向の寸法Ｎ６（幅寸法）よりも小さく、固着部７０は、その横方向の寸法Ｎ４（幅寸法）が第１側壁１１の横方向の寸法Ｎ５（幅寸法）よりも小さい。したがって、第１〜第３自由部６４，６６，６８と固着部７０との幅寸法Ｎ１〜Ｎ４の合計が第１〜第４側壁１１〜１４の幅寸法Ｎ５〜Ｎ８の合計よりも少ない。なお、第１〜第３自由部６４，６６，６８と固着部７０との上下寸法Ｌ１は、第１〜第４側壁１１〜１４の上下寸法Ｌ２の範囲で自由に決定することができる。また、幅寸法Ｎ１〜Ｎ４の合計は、幅寸法Ｎ５〜Ｎ８の合計よりも小さい範囲で自由に決定することができる。
【００５０】
第１自由部６４の折曲縁６５の上下方向中央には、第１自由部６４を部分的にくり抜いた切り欠き部７１と、第１自由部６４に向かって横方向へ延びる略半円状の当接部７２とが作られている。物品支持壁１９の第１自由部６５は、第１側壁１１（糊代部分２５）に対して直交するように、折曲縁６３において折曲される。折曲縁６３において折曲された第１自由部６４は、第４側壁１４の内面に並行しているとともに、第４側壁１４から物品収容空間２１の径方向内方へ離間している。なお、当接部７２は、第４側壁１４に向かって延びているとともに、第４側壁１４の内面に当接している。
【００５１】
物品支持壁１９の第２自由部６６は、第１自由部６４に対して直交するように、折曲縁６５において折曲される。折曲縁６５において折曲された第２自由部６６は、第２側壁１２の内面に並行しているとともに、第２側壁１２から物品収容空間２１の径方向内方へ離間している。物品支持壁１９の第３自由部６８は、第２自由部６６に対して直交するように、折曲縁６７において折曲される。折曲縁６７において折曲された第３自由部６８は、第３側壁１３の内面に並行しているとともに、第３側壁１３から物品収容空間２１の径方向内方へ離間している。
【００５２】
物品支持壁１９の固着部７０は、第３自由部６８に対して直交するように、折曲縁６９において折曲される。折曲縁６９において折曲された固着部７０は、その自由縁７３が第１自由部６４に当接した状態で第１側壁１１の内面に固着されている。第１〜第３自由部６４，６６，６８と固着部７０とは、物品収容空間２１に収容された物品２３を配置する四角形の物品支持空間２２を画成している。物品支持空間２２は、物品収容空間２１に作られ、その開口面積が物品収容空間２１のそれよりも小さい。
【００５３】
図５は、組み立て途中の物品収容容器１０Ａの斜視図であり、図６は、図５から続く組み立て途中の物品収容容器１０Ａの斜視図である。図７は、物品２３を収容した状態で示す物品収容容器１０Ａの上面図であり、図８は、物品２３を収容した状態で示す物品収容容器１０Ａの部分破断斜視図である。図１の展開平面図から物品収容容器１０Ａを組み立てる手順の一例は、以下のとおりである。
【００５４】
糊代部分２５が第１側壁１１に対して略直交するように、糊代部分２５を折曲縁２６において略直角に折り曲げて糊代部分２５を横方向へ旋回させ、物品支持壁１９の第１自由部６４が第１側壁１１（糊代部分２５）に対して略直交するように、第１自由部６４を折曲縁６３において略直角に折り曲げて第１自由部６４を横方向へ旋回させる。第２自由部６６が第１自由部６４に対して略直交するように、第２自由部６６を折曲縁６５において略直角に折り曲げて第２自由部６６を横方向へ旋回させる。なお、当接部７２が折り曲げられることはないから、第２自由部６６が折り曲げられることで、当接部７２が第２自由部６６と面一になって第１自由部６４に対して略直交して延びる。
【００５５】
第３自由部６８が第２自由部６６に対して略直交するように、第３自由部６８を折曲縁６７において略直角に折り曲げて第３自由部６８を横方向へ旋回させ、固着部７０が第３自由部６８に対して略直交するように、固着部７０を折曲縁６９において略直角に折り曲げて固着部７０を横方向へ旋回させる。第１〜第３自由部６４，６６，６８と固着部７０とを折り曲げた後、固着部７０の自由縁７３を第１自由部６４に近接または当接させた状態で、固着部７０を第１側壁１１の内面に接着剤によって固着する。
【００５６】
次に、第１底壁１８Ａの第１底上げ部４８が物品収容空間２１に向かって延びるように、第１底上げ部４８を第１側壁１１の下端縁４７において折り曲げて第１底上げ部４８を上方へ旋回させ、第１水平部５０が第１底上げ部４８に対して略直交するように、第１水平部５０を第１底上げ部４８の先端縁４９において略直角に折り曲げて第１水平部５０を下方へ旋回させる。第２底壁１８Ｂの第２底上げ部５２が物品収容空間２１に向かって延びるように、第２底上げ部５２を第３側壁１３の下端縁５１において折り曲げて第２底上げ部５２を上方へ旋回させ、第２水平部５４が第２底上げ部５２に対して略直交するように、第２水平部５４を第２底上げ部５２の先端縁５３において略直角に折り曲げて第２水平部５４を下方へ旋回させる。さらに、第１側壁１１が第３側壁１３に対して略直交するように、第１側壁１１を側縁２４において略直角に折り曲げて第１側壁１１を横方向へ旋回させる。
【００５７】
第１底上げ部４８や第１水平部５０、第２底上げ部５２、第２水平部５４を折り曲げた後、第１側壁１１を折り曲げると、第２水平部５４の下面が第１水平部５０の上面に重なる。この状態で第１水平部５０の上面と第２水平部５４の下面とを接着剤によって固着する。第１水平部５０と第２水平部５２とを固着すると、図５に示すように、第１底上げ部４８が第１側壁１１の内面に並行して上下方向へ延びるとともに、第１底上げ部４８が上下方向へ延びることによって第１水平部５０が第１側壁１１の下端縁４７から上方へ底上げされ、第２底上げ部５２が第３側壁１３の内面に並行して上下方向へ延びるとともに、第２底上げ部５２が上下方向へ延びることによって第２水平部５４が第３側壁１３の下端縁５１から上方へ底上げされる。
【００５８】
次に、第３底壁１８Ｃの第３底上げ部５６が物品収容空間２１に向かって延びるように、第３底上げ部５６を第２側壁１２の下端縁５５において折り曲げて第３底上げ部５６を上方へ旋回させ、第３水平部５８が第３底上げ部５６に対して略直交するように、第３水平部５８を第３底上げ部５６の先端縁５７において略直角に折り曲げて第３水平部５８を下方へ旋回させる。第４底壁１８Ｄの第４底上げ部６０が物品収容空間２１に向かって延びるように、第４底上げ部６０を第４側壁１４の下端縁５９において折り曲げて第４底上げ部６０を上方へ旋回させ、第４水平部６２が第４底上げ部６０に対して略直交するように、第４水平部６０を第４底上げ部６２の先端縁６１において略直角に折り曲げて第４水平部６０を下方へ旋回させる。さらに、第４側壁１４が第２側壁１２に対して略直交するように、第４側壁１４を側縁２８において略直角に折り曲げて第４側壁１４を横方向へ旋回させる。
【００５９】
第３底上げ部５６や第３水平部５８、第４底上げ部６０、第４水平部６２を折り曲げた後、第４側壁１４を折り曲げると、第４水平部６０の下面が第３水平部５８の上面に重なる。この状態で第３水平部５８の上面と第４水平部６０の下面とを接着剤によって固着する。第３水平部５８と第４水平部６０とを固着すると、図６に示すように、第３底上げ部５６が第２側壁１２の内面に並行して上下方向へ延びるとともに、第３底上げ部５６が上下方向へ延びることによって第３水平部５８が第２側壁１２の下端縁５５から上方へ底上げされ、第４底上げ部６０が第４側壁１４の内面に並行して上下方向へ延びるとともに、第４底上げ部６０が上下方向へ延びることによって第４水平部６２が第４側壁１４の下端縁５９から上方へ底上げされる。
【００６０】
図６の状態において、第３側壁１３が第２側壁１２に対して略直交するように、第３側壁１３を側縁２７において略直角に折り曲げて第３側壁１３を横方向へ旋回させる。第３側壁１３を折り曲げると、第１水平部５０の下面が第４水平部６２の上面に重なる。この状態で第１水平部５０の下面と第４水平部６２の上面とを接着剤によって固着するとともに、糊代部分２５を第４側壁１４の内面に接着剤によって固着する。
【００６１】
第１水平部５０と第４水平部６２とを固着すると、第１〜第４水平部５０，５４，５８，６２によって上げ底７４が作られ、第１〜第４水平部５０，５４，５８，６２によって底部開口１７が閉塞されるとともに、第１〜第４側壁１１〜１４と第１〜第４水平部５０，５４，５８，６２とに囲繞された物品収容空間２１が形成され、第１〜第４側壁１１〜１４の上端縁２９，３４，３６，４０に囲繞された頂部開口１５が形成される。物品支持壁１９に作られた当接部７２が第４側壁１４の内面に当接し、物品支持壁１９の第１自由部６４の第４側壁１４からの離間状態が維持されている。なお、第１〜第４底上げ部４８，５２，５６，６０の上下寸法Ｍ１を変更することで、第１〜第４側壁１１〜１４の下端縁４７，５１，５５，５９からの第１〜第４水平部５０，５４，５８，６２の底上げ寸法を調節することができる。
【００６２】
物品収容容器１０Ａでは、頂部開口１５から所定の物品２３（商品）を物品支持空間２２に収容する。図７，８に示すように、外観形状が四角柱の瓶や缶等の物品２３である場合、その物品２３を四角形の物品支持空間２２に配置することで、その物品２３の外周面が物品支持壁１９の第１〜第３自由部６４，６６，６８に支持される。物品２３を物品支持空間２２に収容した後、吊り下げ壁２０を折曲縁３７において折り曲げ、フラップ３９を第２側壁１２の上端縁３６から物品収容空間２１に挿入する。
【００６３】
次に、フラップ３１を第１頂壁１６Ａの先端縁３０において折り曲げた後、第１頂壁１６Ａを第１側壁１１の上端縁２９において折り曲げ、第１頂壁１６Ａを下方へ旋回させてフラップ３１がフラップ３９の内面に当接するようにフラップ３１を物品収容空間２１に挿入する。さらに、第２頂壁１６Ｂを第３側壁１３の上端縁３４において折り曲げ、第２頂壁１６Ｂを下方へ旋回させて第２頂壁１６Ｂを第１頂壁１６Ａの上面に重ね、第３頂壁１６Ｃを第４側壁１４の上端縁４０において折り曲げ、第３頂壁１６Ｃを下方へ旋回させて第３頂壁１６Ｃを第２頂壁１６Ｂの上面に重ねるとともに、第３頂壁１６Ｃに作られた係合部４４を第３側壁１３の上端縁３４に作られた挿入部３５に挿入し、係合部４４を挿入部３５に係合させ、頂部開口１５を塞ぐ。
【００６４】
物品２３が物品支持空間２２に収容され、頂部開口１５が閉じられた物品収容容器１０Ａは、第１〜第４底壁１８Ａ〜１８Ｄを下にした状態で陳列棚に並べることができる。また、容器１０Ａは、吊り下げ壁２０に貫通孔（図示せず）を形成し、その貫通孔にフックを挿入することで、容器１０Ａをフックに吊下げることができる。
【００６５】
物品支持空間２２に収容された物品２３を物品収容容器１０Ａから取り出すには、第３頂壁１６Ｃを切り取り線４３で切り、第３頂壁１６Ｃの部分４５と残余部分４６とを分離する。係合部４４が挿入部３５に係合しているから、第３頂壁１６Ｃの部分４５が第２頂壁１３に連結された状態になるが、第３頂壁１６Ｃの残余部４６と第２頂壁１３との連結が解除されるから、残余部４６を上方へ旋回させることができる。残余部４６を上方へ旋回させた後、第２頂壁１６Ｂと第１頂壁１６Ａとを上方へ旋回させ、頂部開口１５を開放し、物品支持空間２２に収容された物品２３を取り出す。
【００６６】
物品収容容器１０Ａは、第１〜第４水平部５０，５４，５８，６２によって上げ底７４が形成され、第１〜第４水平部５０，５４，５８，６２が陳列棚やレジ棚等の載置箇所の表面に直に当たることはなく、上げ底７４を形成する第１〜第４水平部５０，５４，５８，６２が物品２３の質量によって下方へ弾性変形可能であるから、第１〜第４底上げ部４８，５２，５６，６０や第１〜第４水平部５０，５４，５８，６２が容器１０Ａに加えられた衝撃を弱める緩衝材として機能する。物品収容容器１０Ａは、それに加えられた衝撃が物品２３に直接伝わることはなく、容器１０Ａに強い衝撃が加えられたとしても、第１〜第４底上げ部４８，５２，５６，６０や第１〜第４水平部５０，５４，５８，６２によってその衝撃が弱められるから、容器１０Ａの内部における物品２３の変形や損壊を防ぐことができる。
【００６７】
物品収容容器１０Ａは、物品支持壁１９の第１〜第３自由部６４，６６，６８と固着部７０とが物品収容空間２１に収容された物品２３を配置する四角形の物品支持空間２２を画成するから、物品収容空間２１に収容された物品２３の外観形状が四角柱の場合、その物品２３を四角形の物品支持空間２２に配置することで、その物品２３の外周面を物品支持壁１９の第１〜第３自由部６４，６６，６８に支持させることができ、物品支持壁１９によって物品２３を物品収容空間２１の所定の位置に据え付けることができる。
【００６８】
物品収容容器１０Ａは、物品支持壁１９の第１〜第３自由部６４，６６，６８によって物品２３の物品収容空間２１における不用意な遊動を防ぐことができるとともに、第１〜第３自由部６４，６６，６８が第２〜第４側壁１２〜１４から径方向内方へ離間しているから、容器１０Ａに強い衝撃が加えられたとしても、第１〜第３自由部６４，６６，６８に支持された物品２３の第２〜第４側壁１２〜１４への衝突を確実に防ぐことができ、物品２３がそれら側壁１２〜１４へ衝突することによる物品２３の変形や損壊を防ぐことができる。
【００６９】
物品収容容器１０Ａは、第１〜第４底上げ部４８，５２，５６，６０の上下寸法Ｍ１を変更することで、第１〜第４水平部５０，５４，５８，６２の底上げ寸法を調節可能であるから、物品収容空間２１に収容する物品２３の上下寸法にあわせて第１〜第４水平部５０，５４，５８，６２の底上げ寸法を自由に変更することができる。
【００７０】
図９は、他の一例として示す物品収容容器１０Ｂの展開平面図であり、図１０は、物品収容容器１０Ｂの上面図である。図１１は、組み立て途中の物品収容容器１０Ｂの斜視図である。図１２は、図１１から続く組み立て途中の物品収容容器１０Ｂの斜視図である。図１３は、物品２３を収容した状態で示す物品収容容器１０Ｂの上面図であり、図１４は、物品２３を収容した状態で示す物品収容容器１０Ｂの部分破断斜視図である。図９，１０では、縦方向（図１０を除く）を矢印Ａ、横方向を矢印Ｂで示し、前後方向を矢印Ｃ（図９を除く）で示す。図１０では、径方向内方を矢印Ｂ１，Ｃ１で示す。
【００７１】
物品収容容器１０Ｂが図１のそれと異なるところは、物品支持壁１９が一連に繋がり、物品支持壁１９によって円形の物品支持空間２２が画成されている点にあり、その他の構成は図１の物品収容容器１０Ａのそれらと同一であるから、図１と同一の符号を付すとともに、図１の容器１０Ａの説明を援用し、この容器１０におけるその他の構成の詳細な説明は省略する。
【００７２】
物品収容容器１０Ｂは、図１のそれと同様に、可撓性の６つの壁１１〜１４，１６，１８が実質的に直交する六面体であり、その外観形状が上下方向へ長い略直方体に成形されている（図２援用）。それら壁１１〜１４，１６，１８は、紙シートまたはプラスチックシートから作られている。容器１０Ｂは、互いに対向かつ並行して上下方向へ延びる第１および第２側壁１１，１２と、第１および第２側壁１１，１２の間に位置し、互いに対向かつ並行して上下方向へ延びる第３および第４側壁１３，１４と、頂部開口１５を開閉可能な頂壁１６と、底部開口１７を閉鎖する底壁１８と、物品支持壁１９および吊り下げ壁２０とを有する。容器１０Ｂでは、第１〜第４側壁１１〜１４と頂底壁１６，１８とのうちの隣接する壁１１〜１４，１６，１８どうしが互いに直交するように折曲されている。
【００７３】
物品収容容器１０Ｂには、図１０に示すように、第１〜第４側壁１１〜１４および頂底壁１６，１８に囲繞された所定容積の四角形の物品収容空間２１が画成されているとともに、物品支持壁１９に囲繞された円形の物品支持空間２２が画成されている。容器１０Ｂは、頂部開口１５から物品収容空間２１（物品支持空間２２）に物品２３（商品）（図１３，１４参照）を収納した後、頂壁１６によって頂部開口１５を閉じ、それを陳列棚に並べたり、フックに吊下げて陳列する。
【００７４】
頂壁１５は、第１側壁１１に繋がる略矩形の第１頂壁１６Ａと、第３側壁１３に繋がる略矩形の第２頂壁１６Ｂと、第４側壁１４に繋がる略矩形の第３頂壁１６Ｃとから形成されている。底壁１８は、第１側壁１１に繋がる略矩形の第１底壁１８Ａと、第３側壁１３に繋がる略三角形の第２底壁１８Ｂと、第２側壁１２に繋がる略矩形の第３底壁１８Ｃと、第４側壁１４に繋がる略三角形の第４底壁１８Ｄとから形成されている。
【００７５】
物品収容容器１０Ｂでは、吊り下げ壁２０が折曲縁３７において折曲され、フラップ３９が上端縁３８から物品収容空間２１に進入して第２側壁１２の内面に当接し、フラップ３１が先端縁３０において折曲され、第１頂壁１６Ａが上端縁２９において折曲され、フラップ３１が上端縁２９から物品収容空間２１に進入してフラップ３９の内面に当接し、第１頂壁１６Ａが頂部開口１５を塞いでいる。さらに、第２頂壁１６Ｂが上端縁３４において折曲されて第１頂壁１６Ａの上面に重なり、第３頂壁１６Ｃが上端縁４０において折曲されて第２頂壁１６Ｂの上面に重なり、第２および第３頂壁１６Ｂ，１６Ｃが頂部開口１５を塞いでいる。第３頂壁１６Ｃに作られた係合部４４は、上端縁３４に作られた挿入部３５に挿入され、挿入部３５に係合している。
【００７６】
容器１０Ｂでは、下端縁４７において折曲された第１底上げ部４８が物品収容空間２１に起立した状態で下端縁４７から頂部開口１５に向かって上下方向へ延びているとともに、第１側壁１１の内面に当接するように、第１側壁１１の内面に並行している。先端縁４９において折曲された第１水平部５０が下端縁４７から上方に位置するとともに、物品収容空間１５において水平に延びることで、底部開口１７を塞いでいる。下端縁５１において折曲された第２底上げ部５２が物品収容空間２１に起立した状態で下端縁５１から頂部開口１５に向かって上下方向へ延びているとともに、第３側壁１３の内面に当接するように、第３側壁１３の内面に並行している。先端縁５３において折曲された第２水平部５４が下端縁５１から上方に位置するとともに、物品収容空間１５において水平に延びることで、底部開口１７を塞いでいる。
【００７７】
容器１０Ｂでは、下端縁５５において折曲された第３底上げ部５６が物品収容空間２１に起立した状態で下端縁５５から頂部開口１５に向かって上下方向へ延びているとともに、第２側壁１２の内面に当接するように、第２側壁１２の内面に並行している。先端縁５７において折曲された第３水平部５８が下端縁５５から上方に位置するとともに、物品収容空間２１において水平に延びることで、底部開口１７を塞いでいる。下端縁５９において折曲された第４底上げ部６０が物品収容空間２１に起立した状態で下端縁５９から頂部開口１５に向かって上下方向へ延びているとともに、第４側壁１４の内面に当接するように、第４側壁１４の内面に並行している。先端縁６１において折曲された第４水平部６２が下端縁５９から上方に位置するとともに、物品収容空間２１において水平に延びることで、底部開口１７を塞いでいる。なお、第１〜第４底上げ部４８，５２，５６，６０は、それらの上下寸法Ｍ１が同一である。
【００７８】
物品支持壁１９は、糊代部分２５を含む第１側壁１１に繋がっている。物品支持壁１９は、第１側壁１１（糊代部分２５）の上下方向へ延びる折曲縁６３に連接されて横方向へ延びる略矩形の自由部７５と、自由部７５に連接されて横方向へ延びる略矩形の固着部７６とを有する。なお、物品支持壁１９では、自由部７５と固着部７６とを区分する折曲縁はなく、固着部７６の幅寸法を大きくすることで自由部７５の幅寸法が小さくなり、逆に固着部７６の幅寸法を小さくすることで自由部７５の幅寸法が大きくなる。
【００７９】
自由部７５と固着部７６との上下方向の寸法Ｌ１は、第１〜第４側壁１１〜１４の上下方向の寸法Ｌ２（上下寸法）の略半分である。自由部７５と固着部７６とをあわせた幅寸法Ｎ９は、第１〜第４側壁１１〜１４の幅寸法Ｎ５〜Ｎ８の合計よりも小さい。固着部７６は、その自由縁７３が自由部７５に当接した状態で第１側壁１１の内面に固着されている。自由部７５と固着部７６とは、物品収容空間２１に収容された物品２３を配置する円形の物品支持空間２２を画成している。物品支持空間２２は、物品収容空間２１に作られ、その開口面積が物品収容空間２１のそれよりも小さい。なお、自由部７５と固着部７６との上下寸法Ｌ１は、第１〜第４側壁１１〜１４の上下寸法Ｌ２の範囲で自由に決定することができる。また、自由部７５と固着部７６とをあわせた幅寸法Ｎ９は、幅寸法Ｎ５〜Ｎ８の合計よりも小さい範囲で自由に決定することができる。
【００８０】
図９の展開平面図から物品収容容器１０Ｂを組み立てる手順の一例は、以下のとおりである。糊代部分２５が第１側壁１１に対して略直交するように、糊代部分２５を折曲縁２６において略直角に折り曲げて糊代部分２５を横方向へ旋回させ、物品支持壁１９の自由部７５および固着部７６が第１側壁１１（糊代部分２５）に対して略直交するように、自由部７５を折曲縁６３において略直角に折り曲げて自由部７５と固着部７６とを横方向へ旋回させる。自由部７５と固着部７６とを旋回させた後、固着部７６の自由縁７３を自由部７５に近接または当接させた状態で、固着部７６を第１側壁１１の内面に接着剤によって固着する。
【００８１】
次に、第１底壁１８Ａの第１底上げ部４８が物品収容空間２１に向かって延びるように、第１底上げ部４８を第１側壁１１の下端縁４７において折り曲げ、第１水平部５０が第１底上げ部４８に対して略直交するように、第１水平部５０を第１底上げ部４８の先端縁４９において略直角に折り曲げる。第２底壁１８Ｂの第２底上げ部５２が物品収容空間２１に向かって延びるように、第２底上げ部５２を第３側壁１３の下端縁５１において折り曲げ、第２水平部５４が第２底上げ部５２に対して略直交するように、第２水平部５４を第２底上げ部５２の先端縁５３において略直角に折り曲げる。さらに、第１側壁１１が第３側壁１３に対して略直交するように、第１側壁１１を側縁２４において略直角に折り曲げる。
【００８２】
第１底上げ部４８や第１水平部５０、第２底上げ部５２、第２水平部５４を折り曲げるとともに、第１側壁１１を折り曲げ、第２水平部５４の下面を第１水平部５０の上面に重ね、第１水平部５０の上面と第２水平部５４の下面とを接着剤によって固着する。第１水平部５０と第２水平部５２とを固着すると、図１１に示すように、第１底上げ部４８が第１側壁１１の内面に並行して上下方向へ延びるとともに、第１水平部５０が第１側壁１１の下端縁４７から上方へ底上げされ、第２底上げ部５２が第３側壁１３の内面に並行して上下方向へ延びるとともに、第２水平部５４が第３側壁１３の下端縁５１から上方へ底上げされる。
【００８３】
第３底壁１８Ｃの第３底上げ部５６が物品収容空間２１に向かって延びるように、第３底上げ部５６を第２側壁１２の下端縁５５において折り曲げ、第３水平部５８が第３底上げ部５６に対して略直交するように、第３水平部５８を第３底上げ部５６の先端縁５７において略直角に折り曲げる。第４底壁１８Ｄの第４底上げ部６０が物品収容空間２１に向かって延びるように、第４底上げ部６０を第４側壁１４の下端縁５９において折り曲げ、第４水平部６２が第４底上げ部６０に対して略直交するように、第４水平部６０を第４底上げ部６２の先端縁６１において略直角に折り曲げる。さらに、第４側壁１４が第２側壁１２に対して略直交するように、第４側壁１４を側縁２８において略直角に折り曲げる。
【００８４】
第３底上げ部５６や第３水平部５８、第４底上げ部６０、第４水平部６２を折り曲げるとともに、第４側壁１４を折り曲げ、第４水平部６０の下面を第３水平部５８の上面に重ね、第３水平部５８の上面と第４水平部６０の下面とを接着剤によって固着する。第３水平部５８と第４水平部６０とを固着すると、図１２に示すように、第３底上げ部５６が第２側壁１２の内面に並行して上下方向へ延びるとともに、第３水平部５８が第２側壁１２の下端縁５５から上方へ底上げされ、第４底上げ部６０が第４側壁１４の内面に並行して上下方向へ延びるとともに、第４水平部６２が第４側壁１４の下端縁５９から上方へ底上げされる。
【００８５】
図１２の状態において、第３側壁１３が第２側壁１２に対して略直交するように、第３側壁１３を側縁２７において略直角に折り曲げ、第１水平部５０の下面を第４水平部６２の上面に重ね、第１水平部５０の下面と第４水平部６２の上面とを接着剤によって固着するとともに、糊代部分２５を第４側壁１４の内面に接着剤によって固着する。第１水平部５０と第４水平部６２とを固着すると、第１〜第４水平部５０，５４，５８，６２によって上げ底７４が作られ、第１〜第４水平部５０，５４，５８，６２によって底部開口１７が閉塞されるとともに、第１〜第４側壁１１〜１４と第１〜第４水平部５０，５４，５８，６２とに囲繞された物品収容空間２１が形成され、第１〜第４側壁１１〜１４の上端縁２９，３４，３６，４０に囲繞された頂部開口１５が形成される。
【００８６】
物品収容容器１０Ｂでは、頂部開口１５から所定の物品２３（商品）を物品支持空間２２に収容する。図１３，１４に示すように、外観形状が円筒状の瓶や缶等の物品２３である場合、その物品２３を円形の物品支持空間２２に配置することで、その物品２３の外周面が物品支持壁１９の自由部７５に支持される。第１〜第３頂壁１６Ａ〜１６Ｃによって頂部開口１５を閉じる手順や物品支持空間２２に収容された物品２３を容器１０Ｂから取り出す手順は、図１の容器１０Ａのそれらと同一であるから、その説明は省略する。物品２３が物品支持空間２２に収容され、頂部開口１５が閉じられた物品収容容器１０Ｂは、第１〜第４底壁１８Ａ〜１８Ｄを下にした状態で陳列棚に並べることができる。また、容器１０Ｂは、吊り下げ壁２０に貫通孔（図示せず）を形成し、その貫通孔にフックを挿入することで、容器１０Ｂをフックに吊下げることができる。
【００８７】
物品収容容器１０Ｂは、第１〜第４水平部５０，５４，５８，６２によって上げ底７４が形成され、第１〜第４水平部５０，５４，５８，６２が陳列棚やレジ棚等の載置箇所の表面に直に当たることはなく、上げ底７４を形成する第１〜第４水平部５０，５４，５８，６２が物品２３の質量によって下方へ弾性変形可能であるから、第１〜第４底上げ部４８，５２，５６，６０や第１〜第４水平部５０，５４，５８，６２が容器１０Ｂに加えられた衝撃を弱める緩衝材として機能する。物品収容容器１０Ｂは、それに加えられた衝撃が物品２３に直接伝わることはなく、容器１０Ｂに強い衝撃が加えられたとしても、第１〜第４底上げ部４８，５２，５６，６０や第１〜第４水平部５０，５４，５８，６２によってその衝撃が弱められるから、容器１０Ｂの内部における物品２３の変形や損壊を防ぐことができる。
【００８８】
物品収容容器１０Ｂは、物品支持壁１９の自由部７５と固着部７６とが物品収容空間２１に収容された物品２３を配置する円形の物品支持空間２２を画成するから、物品収容空間２１に収容された物品２３の外観形状が円筒状の場合、その物品２３を円形の物品支持空間２２に配置することで、その物品２３の外周面を物品支持壁１９の自由部７５に支持させることができ、物品支持壁１９によって物品２３を物品収容空間２１の所定の位置に据え付けることができる。
【００８９】
物品収容容器１０Ｂは、物品支持壁１９の自由部７５によって物品２３の物品収容空間２１における不用意な遊動を防ぐことができるとともに、自由部７５が第２〜第４側壁１２〜１４から径方向内方へ離間しているから、容器１０Ｂに強い衝撃が加えられたとしても、自由部７５に支持された物品２３の第２〜第４側壁１２〜１４への衝突を確実に防ぐことができ、物品２３がそれら側壁１２〜１４へ衝突することによる物品２３の変形や損壊を防ぐことができる。
【００９０】
物品収容容器１０Ｂは、第１〜第４底上げ部４８，５２，５６，６０の上下寸法Ｍ１を変更することで、第１〜第４水平部５０，５４，５８，６２の底上げ寸法を調節可能であるから、物品収容空間２１に収容する物品２３の上下寸法にあわせて第１〜第４水平部５０，５４，５８，６２の底上げ寸法を自由に変更することができる。容器１０Ｂは、物品支持壁１９の自由部７５を折り曲げることで、自由部７５に囲繞された四角形や三角形等の任意の形状の物品支持空間２２を作ることができ、物品２３の外観形状にあわせた物品支持空間２２を作ることができる。
【符号の説明】
【００９１】
１０Ａ  包装用容器
１０Ｂ  包装用容器
１１    第１側壁
１２    第２側壁
１３    第３側壁
１４    第４側壁
１５    頂部開口
１６    頂壁
１７    底部開口
１８    底壁
１９    物品指示壁
２０    吊り下げ壁
２１    物品収容空間
２２    物品支持空間
２３    物品（商品）
２４    側縁
２５    糊代部分
２６    折曲縁
２７    側縁
２８    側縁
２９    上端縁
３０    先端縁
３１    フラップ
３２    側縁
３３    切り欠き部
３４    上端縁
３５    挿入部
３６    上端縁
３７    折曲縁
３８    先端縁
３９    フラップ
４０    上端縁
４１    先端縁
４２    側縁
４３    切り取り線
４４    係合部
４５    切り取り部分
４６    残余部分
４７    下端縁
４８    第１底上げ部
４９    先端縁
５０    第１水平部
５１    下端縁
５２    第２底上げ部
５３    先端縁
５４    第２水平部
５５    下端縁
５６    第３底上げ部
５７    先端縁
５８    第３水平部
５９    下端縁
６０    第４底上げ部
６１    先端縁
６２    第４水平部
６３    折曲縁
６４    第１自由部
６５    折曲縁
６６    第２自由部
６７    折曲縁
６８    第３自由部
６９    折曲縁
７０    固着部
７２    当接部
７３    自由縁
７４    上げ底
７５    自由部
７６    固着部
【図１】
2015101355.tif 000003
【図２】
2015101355.tif 000004
【図３】
2015101355.tif 000005
【図４】
2015101355.tif 000006
【図５】
2015101355.tif 000007
【図６】
2015101355.tif 000008
【図７】
2015101355.tif 000009
【図８】
2015101355.tif 000010
【図９】
2015101355.tif 000011
【図１０】
2015101355.tif 000012
【図１１】
2015101355.tif 000013
【図１２】
2015101355.tif 000014
【図１３】
2015101355.tif 000015
【図１４】
2015101355.tif 000016